(57)【要約】【課題】  パネルの下側から取付作業を行うことができる簡易構造物の製造方法を提供する。【解決手段】  垂木のパネル挿入溝の入口下部にビードを垂木から側方に突出した状態で係合させる工程と、パネルを垂木から突出したビードに仮置きする工程と、パネルをパネル挿入溝に挿入する工程と、ビードをパネル挿入溝に押し込んでパネルを固定する工程を備える。【選択図】      図１
2018003554.tif 000002
【特許請求の範囲】
【請求項１】
垂木のパネル挿入溝の入口下部にビードを垂木から側方に突出した状態で係合させる工程と、パネルを垂木から突出したビードに仮置きする工程と、パネルをパネル挿入溝に挿入する工程と、ビードをパネル挿入溝に押し込んでパネルを固定する工程を備えることを特徴とする簡易構造物の製造方法。
【請求項２】
パネルの前後の一方側の端部を前後の一方の枠に係合させる工程と、パネルの前後の他方側の端部を前後の他方の枠に係合させる工程と、パネルの左右の一方側の端部を垂木のパネル挿入溝の入口下部に設けた仮置部に仮置きする工程と、パネルを左右の一方側にスライドさせてパネル挿入溝に挿入する工程を備えることを特徴とする簡易構造物の製造方法。
【発明の詳細な説明】
【技術分野】
【０００１】
本発明は、平行に並ぶ垂木の間にパネルを取り付けた簡易構造物の製造方法に関する。
【背景技術】
【０００２】
テラスなどの簡易構造物において、平行に並ぶ垂木の間に屋根材となるパネルを取り付けたものがある。従来、このような簡易構造物においては、特許文献１に示すように、パネルを左右の垂木に載せ、その後、上側からパネル押さえを取り付け、パネルを垂木とパネル押さえで挟み込んで固定していた。
【先行技術文献】
【特許文献】
【０００３】
【特許文献１】実公平２−４８５７４号公報
【発明の概要】
【発明が解決しようとする課題】
【０００４】
しかしながら、このような従来の施工方法では、特にバルコニーなどに設置する場合において、端部のパネル（最後に取り付けるパネル）の取り付けの際に、パネルの上側からパネル押さえを取り付ける作業が困難なものとなっていた。また、設置箇所の直上に上層階のバルコニーなどがあり、上側からの作業が困難な場合もあった。
【０００５】
本発明は、上記事情を鑑みたものであり、パネルの下側から取付作業を行うことができる簡易構造物の製造方法を提供することを目的とする。
【課題を解決するための手段】
【０００６】
本発明のうち請求項１の発明は、垂木のパネル挿入溝の入口下部にビードを垂木から側方に突出した状態で係合させる工程と、パネルを垂木から突出したビードに仮置きする工程と、パネルをパネル挿入溝に挿入する工程と、ビードをパネル挿入溝に押し込んでパネルを固定する工程を備えることを特徴とする。なお、ここでの「垂木」には、簡易構造物の両端の妻垂木とその間の垂木の両方を含む。
【０００７】
本発明のうち請求項２の発明は、パネルの前後の一方側の端部を前後の一方の枠に係合させる工程と、パネルの前後の他方側の端部を前後の他方の枠に係合させる工程と、パネルの左右の一方側の端部を垂木のパネル挿入溝の入口下部に設けた仮置部に仮置きする工程と、パネルを左右の一方側にスライドさせてパネル挿入溝に挿入する工程を備えることを特徴とする。なお、ここでの「垂木」には、簡易構造物の両端の妻垂木とその間の垂木の両方を含む。
【発明の効果】
【０００８】
本発明のうち請求項１の発明によれば、垂木のパネル挿入溝にパネルを挿入し、最後にビードをパネル挿入溝に押し込んでパネルを固定するので、パネルの下側から取付作業を行うことができ、施工が容易である。また、パネルの取り付けの際、ビードにパネルを仮置きすることで、１人でも容易に施工することができる。そして、パネルを固定するためのビードをパネルの仮置きに兼用しており、仮置きのための専用の部材を要するものではないから、より施工が容易であり、かつ製造費用を抑えられる。
【０００９】
本発明のうち請求項２の発明によれば、垂木のパネル挿入溝にパネルを挿入して取り付けるので、パネルの下側から取付作業を行うことができ、施工が容易である。また、パネルの取り付けの際、仮置部にパネルを仮置きすることで、前後の枠と合わせて３辺でパネルを支持できるので、パネルが外れることがなく、１人でも容易に施工することができる。
【図面の簡単な説明】
【００１０】
【図１】本発明の製造方法の第一実施例に用いる垂木及びビードの説明図である。
【図２】第一実施例による簡易構造物の正面図である。
【図３】第一実施例による簡易構造物の側面図である。
【図４】第一実施例による屋根の正面方向断面図である。
【図５】第一実施例による屋根の側面方向断面図である。
【図６−１】第一実施例における全パネルの取付手順の説明図（（ａ）〜（ｄ））である。
【図６−２】第一実施例における全パネルの取付手順の説明図（（ｅ）〜（ｈ））である。
【図７】（ａ）〜（ｆ）は、第一実施例におけるビードの取り付け及び挿入についての説明図である。
【図８】第一実施例におけるパネルの取り付けについての側面視説明図である。
【図９】（ａ）、（ｂ）は、第一実施例におけるパネルの取り付けについての上面視説明図である。
【図１０】第二実施例による屋根の正面方向断面図である。
【図１１−１】第二実施例における全パネルの取付手順の説明図（（ａ）〜（ｄ））である。
【図１１−２】第二実施例における全パネルの取付手順の説明図（（ｅ）〜（ｈ））である。
【図１２】第三実施例に用いるビードの説明図である。
【図１３】（ａ）〜（ｃ）は、第四実施例におけるパネルの仮置きについての説明図である。
【発明を実施するための形態】
【００１１】
以下、本発明の実施例を図面に基づいて説明する。この製造方法の第一実施例によって製造される簡易構造物は、種々の目的に使用可能なものであるが、ここで示すのは、２階以上のバルコニーの屋根として用いられるものであり、まずその構成について説明する。なお、以下において、左右とは、図２のように簡易構造物を正面視した際の左右を示し、図２における手前側（図３の左側）を前側、奥側（図３の右側）を後側とする。図２及び図３に示すように、この簡易構造物は、建物の外壁Ｗからせり出したバルコニーＢに設置するものであって、左右に立設した柱１０と、両柱１０に横架した桁２０と、桁２０の上面に取り付けた屋根３０からなる。屋根３０は、平面形状で前側に向けて下方に傾斜しており、前後に延び左右に平行に並ぶ３本の垂木１及び両端の妻垂木１ａと、垂木１及び妻垂木１ａの前端部に取り付けた左右に延びる前枠５と、垂木１及び妻垂木１ａの後端部に取り付けた左右に延びる垂木掛け（後枠）６と、垂木１及び妻垂木１ａの前後方向中間位置において、左右に並ぶ垂木１及び妻垂木１ａの間に渡し掛けた中桟７により骨組構造が形成され、左右に並ぶ垂木１及び妻垂木１ａの間に、それぞれ屋根材となるパネル４を取り付けてある。この際、中桟７は下側からパネル４を受けている。そして、垂木掛け６は、外壁Ｗに固定してある。
【００１２】
次に、パネル４の取付構造について、取り付けた完成状態に基づき詳述する。各パネル４は、図５に示すように、前端部が前枠５に係合し、後端部が垂木掛け６に係合している。より詳しくは、前枠５は後側に向けて開口する前側挿入溝５１を有し、垂木掛け６は前側に向けて開口する後側挿入溝６１を有しており、パネル４の前端部が前側挿入溝５１に挿入され、パネル４の後端部が後側挿入溝６１に挿入されていて、さらに前枠５とパネル４の間及び垂木掛け６とパネル４の間にそれぞれ後付ビード５２，６２が挿入されてパネル４が固定されている。
【００１３】
また、図４に示すように、パネル４の左右端部がそれぞれ垂木１又は妻垂木１ａに係合している。ここで、垂木１とパネル４の係合部分についてさらに詳述する。図１に示すように、垂木１は、上面の左右の端部に係合部１１を形成してある。係合部１１は、上側に向けて延びる起立面１１ａと、起立面１１ａの上端から内側（垂木１の左右方向中央側）に向けて延びる水平面１１ｂと、水平面１１ｂの内側端から下側に向けて延びる垂下面１１ｃを備え、また、起立面１１ａの上端（水平面１１ｂの外側端）には、外側に向けて突出する被係止突起１２を形成してあり、さらに、起立面１１ａの被係止突起１２から下側に離隔した位置に、外側に向けて突出する支持突起１３を形成してあって、支持突起１３は被係止突起１２よりも長く突出している。また、垂木１の上面の左右方向中央部に、上側に向けて開口するネジ受溝１４を形成してある。そして、垂木１の上面には、パネル押さえ１５を取り付けてある。パネル押さえ１５は、左右方向中央部から左右両側に向けて下方に傾斜した略への字形のものであって、中央部をネジ受溝１４にネジ止めしてある。左右の端部には、下側に向けて開口する断面略Ｃ字形のタイト材ホルダ１６を形成してあり、左右のタイト材ホルダ１６に、それぞれタイト材１７を取り付けてある。タイト材１７は、略平板状のものであって、上面に略Ｔ字形の挿入部を形成してあり、挿入部をタイト材ホルダ１６に挿入してある。タイト材１７は、垂木１の係合部１１に対向しており、垂木１の上面とパネル押さえ１５とで、側方に向けて開口するパネル挿入溝２が形成されていて、係合部１１はパネル挿入溝２の入口下部に位置する。
【００１４】
そして、係合部１１にビード３を取り付けてある。図１の左側部分に示すように、ビード３は、下面に溝部３１を有しており、溝部３１に係合部１１の水平面１１ｂと被係止突起１２が嵌まっている。また、溝部３１の外側部分が下側に向けて突出した当接突部３２となっており、当接突部３２が支持突起１３に上側から当接している。さらに、溝部３１の内側部分には、内側に向けて上方に傾斜する傾斜面３３を形成してある。また、傾斜面３３の内側端には、内側に向けて突出する係止突起３４を形成してあり、さらに、係止突起３４の上側から内側に向けて延び、先端部が下側にＪ字形に屈曲した係合腕部３５を形成してある。また、当接突部３２、溝部３１及び傾斜面３３の上側部分には、パネル支持部３６を設けてある。パネル支持部３６は、上面に長手方向に沿って延びる複数の突条を形成してあり、パネル押さえ１５のタイト材１７と上下に対向していて、パネル支持部３６とタイト材１７で、パネル４の端部を挟み込んでいる。
【００１５】
なお、図１の右側部分に示すように、このビード３を、垂木１のパネル挿入溝２の入口下部に、垂木１から側方に突出した状態で係合させることができる。この場合、ビード３の係合腕部３５の先端部を係合部１１の垂下面１１ｃに引っ掛け、ビード３の係止突起３４を被係止突起１２に係止させて、ビード３を垂木１に固定してある。この際、ビード３の係止突起３４が垂木１の支持突起１３に上側から当接し、支持突起１３がビード３を支持する。このように垂木１から側方に突出した状態で係合させたビード３は、後述のように、パネル４を仮置きするための仮置部となる。
【００１６】
また、左右の妻垂木１ａにおけるパネル４の取付部分の形状は、図４に示すように、垂木１と同様のものとなっている。妻垂木１ａは、上面の一方側（垂木１側）端部に係合部１１を形成してあり、係合部１１にビード３を取り付けてある。また、妻垂木１ａの上面の他方側端部にネジ受溝１４を形成してある。そして、妻垂木１ａの上面には、パネル押さえ１５ａを取り付けてある。パネル押さえ１５ａは、垂木１のパネル押さえ１５を略半分に切断したような形状であって、他方側端部をネジ受溝１４にネジ止めしてある。一方側端部にはタイト材ホルダ１６を形成してあり、タイト材ホルダ１６にタイト材１７を取り付けてあって、タイト材１７がビード３に対向し、ビード３のパネル支持部３６とタイト材１７で、パネル４の端部を挟み込んでいる。なお、妻垂木１ａにおいても、垂木１と同様に、ビード３を、妻垂木１ａのパネル挿入溝２の入口下部に、妻垂木１ａから側方に突出した状態で係合させることができる。
【００１７】
次に、本発明の簡易構造物の製造方法の第一実施例について、図６−１、図６−２、図７、図８及び図９に基づき、具体的な工程を説明する。
（１）バルコニーＢに左右の柱１０を立設する。
（２）外壁Ｗに左右に延びる垂木掛け６を固定する。
（３）左右の柱１０の上端に桁２０を横架する。
（４）妻垂木１ａの係合部１１にビード３の係合腕部３５を係合させ、ビード３を妻垂木１ａから側方に突出した状態とする。この際、まず係合腕部３５の先端部を係合部１１の垂下面１１ｃに引っ掛け（図７（ａ））、その後、係合腕部３５の反対側を押し下げ、ビード３の係止突起３４を妻垂木１ａの被係止突起１２に係止させて、ビード３を妻垂木１ａに固定する（図７（ｂ））。この際、ビード３の係止突起３４が妻垂木１ａの支持突起１３に上側から当接し、支持突起１３がビード３を支持する。次に、妻垂木１ａの上面にパネル押さえ１５ａを取り付ける。これにより、パネル挿入溝２が形成され、パネル挿入溝２の入口下部にビード３が係合した状態となる。次に、この妻垂木１ａを、垂木掛け６及び桁２０の左右端部にそれぞれネジ止めして取り付ける（図６−１（ａ））。
（５）左右の妻垂木１ａの前端に、前枠５を取り付ける。
（６）１枚目のパネル４の後端部を垂木掛け６の後側挿入溝６１に挿入（パネル４の前後の一方側の端部を前後の一方の枠に係合）し、前端部を前枠５の前側挿入溝５１に挿入（パネル４の前後の他方側の端部を前後の他方の枠に係合）するとともに（図８）、左端部を妻垂木１ａから右側に突出したビード３（仮置部）に仮置きする（図７（ｃ）、図９（ａ））。その後、パネル４を左側にスライドさせて、左端部を妻垂木１ａのパネル挿入溝２に挿入する（図６−１（ｂ）、図７（ｄ）、図９（ｂ））。
（７）左から１番目の垂木１の左右の係合部１１にそれぞれビード３の係合腕部３５を係合させ、ビード３を垂木１から左右の側方に突出した状態とする。次に、垂木１の上面にパネル押さえ１５を取り付ける。次に、垂木１を右側からパネル４に接近させ、左側に突出したビード３をパネル４の右端部の下面に当接させてガイドしつつ、パネル４の右端部を垂木１の左側のパネル挿入溝２に挿入し、垂木掛け６、桁２０及び前枠５に、垂木１をネジ止めして取り付ける（図６−１（ｃ））。
（８）左側の妻垂木１ａのビード３を押し上げて、係止突起３４を妻垂木１ａの被係止突起１２から外し、パネル４を押し上げつつ（図７（ｅ））、ビード３をパネル挿入溝２に押し込む。この際、ビード３の傾斜面３３が妻垂木１ａの係合部１１に当接することで、スムーズに挿入される。そして、ビード３を最奥まで押し込み、溝部３１に係合部１１の水平面１１ｂと被係止突起１２を嵌める（図７（ｆ））。これにより、ビード３のパネル支持部３６とパネル押さえ１５ａのタイト材１７で、パネル４の端部が挟み込まれる。また、１番目の垂木１の左側のビード３も同様にしてパネル挿入溝２に押し込み、さらに前枠５とパネル４の間及び垂木掛け６とパネル４の間にそれぞれ後付ビード５２，６２を挿入して、１枚目のパネル４を固定する。次に、２枚目のパネル４の後端部を垂木掛け６の後側挿入溝６１に挿入し、前端部を前枠５の前側挿入溝５１に挿入するとともに、左端部を１番目の垂木１から右側に突出したビード３に仮置きする。その後、パネル４を左側にスライドさせて、左端部を垂木１の右側のパネル挿入溝２に挿入する（図６−１（ｄ））。
（９）左から２番目の垂木１にビード３を側方から突出した状態で係合させ、上面にパネル押さえ１５を取り付ける。次に、垂木１を右側から２枚目のパネル４に接近させ、左側に突出したビード３をパネル４の右端部の下面に当接させてガイドしつつ、パネル４の右端部を垂木１の左側のパネル挿入溝２に挿入し、垂木掛け６、桁２０及び前枠５に、垂木１をネジ止めして取り付ける（図６−２（ｅ））。
（１０）１番目の垂木１の右側のビード３と、２番目の垂木１の左側のビード３をそれぞれパネル挿入溝２に押し込み、さらに前枠５とパネル４の間及び垂木掛け６とパネル４の間にそれぞれ後付ビード５２，６２を挿入して、２枚目のパネル４を固定する。そして、上記と同様にして３枚目のパネル４と左から３番目の垂木１を取り付ける。
（１１）右側の妻垂木１ａを取り外す。次に、４枚目のパネル４の後端部を垂木掛け６の後側挿入溝６１に挿入し、前端部を前枠５の前側挿入溝５１に挿入するとともに、左端部を３番目の垂木１から右側に突出したビード３に仮置きする。その後、パネル４を左側にスライドさせて、左端部を垂木１の右側のパネル挿入溝２に挿入する（図６−２（ｆ））。
（１２）右側の妻垂木１ａを右側から４枚目のパネル４に接近させ、左側に突出したビード３をパネル４の右端部の下面に当接させてガイドしつつ、パネル４の右端部を妻垂木１ａのパネル挿入溝２に挿入し、垂木掛け６、桁２０及び前枠５に、妻垂木１ａをネジ止めして取り付ける（図６−２（ｇ））。
（１３）３番目の垂木１の右側のビード３と、右側の妻垂木１ａのビード３をそれぞれパネル挿入溝２に押し込み、さらに前枠５とパネル４の間及び垂木掛け６とパネル４の間にそれぞれ後付ビード５２，６２を挿入して、４枚目のパネル４を固定する（図６−２（ｈ））。
（１４）その他、各部のキャップや雨樋などの付属品を取り付けて、簡易構造物が完成する。
【００１８】
このような本発明の簡易構造物の製造方法の第一実施例によれば、全ての垂木１及び妻垂木１ａにおいて、予めパネル押さえ１５，１５ａを取り付けてパネル挿入溝２を形成し、このパネル挿入溝２にパネル４を挿入して、最後にビード３をパネル挿入溝２に押し込んでパネル４を固定するので、パネル４の下側から全ての取付作業を行うことができ、施工が容易である。特に、バルコニーなどに設置する場合において、足場の確保が困難な場合や、設置箇所の直上に上層階のバルコニーなどがあり、上側からの作業が困難な場合であっても、容易に施工できる。また、パネル４の取り付けの際、ビード３が仮置部となり、パネル４を仮置きすることで、前枠５及び垂木掛け６と合わせて３辺でパネル４を支持できるので、パネル４が外れることがなく、１人でも容易に施工することができる。そして、パネル４を固定するためのビード３をパネル４の仮置きに兼用しており、仮置きのための専用の部材を要するものではないから、より施工が容易であり、かつ製造費用を抑えられる。
【００１９】
続いて、本発明の簡易構造物の製造方法の第二実施例について説明する。第二実施例によって製造される簡易構造物は、第一実施例によるものと略同じであるが、３本の垂木のうち、左から１番目及び２番目の垂木１ｂの形状が異なっている（３番目の垂木１は、第一実施例によるものと同じである）。図１０に示すように、左から１番目及び２番目の垂木１ｂは、上面の左右の端部に、上側に向けて開口する断面略Ｃ字形のタイト材ホルダ１８を形成してあり、左右のタイト材ホルダ１８に、それぞれタイト材１９を取り付けてある。タイト材１９は、略平板状のものであって、下面に略Ｔ字形の挿入部を形成してあり、挿入部をタイト材ホルダ１８に挿入してある。また、垂木１ｂの上面の左右方向中央部に、上側に向けて開口するネジ受溝１４を形成してある。そして、垂木１ｂの上面には、パネル押さえ１５を取り付けてある。パネル押さえ１５は、３番目の垂木１に取り付けるもの（すなわち、第一実施例における垂木１に取り付けるもの）と同じであって、中央部をネジ受溝１４にネジ止めしてある。左右の端部にはタイト材ホルダ１６を形成してあり、タイト材ホルダ１６にそれぞれタイト材１７を取り付けてある。垂木１ｂのタイト材１９とパネル押さえ１５のタイト材１７が上下に対向していて、両タイト材１９，１７で、パネル４の端部を挟み込んでいる。
【００２０】
次に、本発明の簡易構造物の製造方法の第二実施例について、図１１−１及び図１１−２に基づき、具体的な工程を説明する。
（１）バルコニーＢに左右の柱１０を立設する。
（２）外壁Ｗに左右に延びる垂木掛け６を固定する。
（３）左右の柱１０の上端に桁２０を横架する。
（４）妻垂木１ａの係合部１１にビード３の係合腕部３５を係合させ、ビード３を妻垂木１ａから側方に突出した状態として、この妻垂木１ａを、垂木掛け６及び桁２０の左右端部にそれぞれネジ止めして取り付ける（図１１−１（ａ））。
（５）左右の妻垂木１ａの前端に、前枠５を取り付ける。
（６）垂木掛け６、桁２０及び前枠５に、左から１番目の垂木１ｂをネジ止めして取り付ける（図１１−１（ｂ））。
（７）１枚目のパネル４の後端部を垂木掛け６の後側挿入溝６１に挿入し、前端部を前枠５の前側挿入溝５１に挿入するとともに、左端部を左側の妻垂木１ａのビード３に載せ、右端部を１番目の垂木１ｂの左側のタイト材１９に載せる。次に、左側の妻垂木１ａの上面にパネル押さえ１５ａを取り付ける（図１１−１（ｃ））。
（８）左側の妻垂木１ａのビード３を、１枚目のパネル４と妻垂木１ａの間に押し込む。次に、垂木掛け６、桁２０及び前枠５に、左から２番目の垂木１ｂをネジ止めして取り付ける。次に、２枚目のパネル４の後端部を垂木掛け６の後側挿入溝６１に挿入し、前端部を前枠５の前側挿入溝５１に挿入するとともに、左端部を１番目の垂木１ｂの右側のタイト材１９の載せ、右端部を２番目の垂木１ｂの左側のタイト材１９に載せる。次に、１番目の垂木１ｂの上面にパネル押さえ１５を取り付け、さらに、１枚目のパネル４について、前枠５とパネル４の間及び垂木掛け６とパネル４の間にそれぞれ後付ビード５２，６２を挿入して、パネル４を固定する。（図１１−１（ｄ））。
（９）左から３番目の垂木１の左右の係合部１１にそれぞれビード３の係合腕部３５を係合させ、ビード３を垂木１から左右の側方に突出した状態として、この垂木１を、垂木掛け６、桁２０及び前枠５にネジ止めして取り付ける。次に、３枚目のパネル４の後端部を垂木掛け６の後側挿入溝６１に挿入し、前端部を前枠５の前側挿入溝５１に挿入するとともに、左端部を２番目の垂木１ｂの右側のタイト材１９の載せ、右端部を３番目の垂木１の左側のビード３に載せる。次に、２番目の垂木１ｂの上面にパネル押さえ１５を取り付け、さらに、２枚目のパネル４について、前枠５とパネル４の間及び垂木掛け６とパネル４の間にそれぞれ後付ビード５２，６２を挿入して、パネル４を固定する。次に、３番目の垂木１の上面にパネル押さえ１５を取り付ける（図１１−２（ｅ））。
（１０）３番目の垂木１の左側のビード３を、パネル挿入溝２に押し込み、さらに前枠５とパネル４の間及び垂木掛け６とパネル４の間にそれぞれ後付ビード５２，６２を挿入して、３枚目のパネル４を固定する。次に、右側の妻垂木１ａを取り外し、妻垂木１ａの上面にパネル押さえ１５ａを取り付ける。次に、４枚目のパネル４の後端部を垂木掛け６の後側挿入溝６１に挿入し、前端部を前枠５の前側挿入溝５１に挿入するとともに、左端部を３番目の垂木１から右側に突出したビード３に仮置きする。その後、パネル４を左側にスライドさせて、左端部を３番目の垂木１の右側のパネル挿入溝２に挿入する（図１１−２（ｆ））。
（１１）右側の妻垂木１ａを右側から４枚目のパネル４に接近させ、左側に突出したビード３をパネル４の右端部の下面に当接させてガイドしつつ、パネル４の右端部を妻垂木１ａのパネル挿入溝２に挿入し、垂木掛け６、桁２０及び前枠５に、妻垂木１ａをネジ止めして取り付ける（図１１−２（ｇ））。
（１３）３番目の垂木１の右側のビード３と、右側の妻垂木１ａのビード３をそれぞれパネル挿入溝２に押し込み、さらに前枠５とパネル４の間及び垂木掛け６とパネル４の間にそれぞれ後付ビード５２，６２を挿入して、４枚目のパネル４を固定する（図１１−２（ｈ））。
（１４）その他、各部のキャップや雨樋などの付属品を取り付けて、簡易構造物が完成する。
【００２１】
このような本発明の簡易構造物の製造方法の第二実施例によれば、左から３番目の垂木１及び右側の妻垂木１ａにおいて、予めパネル押さえ１５，１５ａを取り付けてパネル挿入溝２を形成し、このパネル挿入溝２に４枚目のパネル４を挿入して、最後にビード３をパネル挿入溝２に押し込んでパネル４を固定するので、パネル４の下側から取付作業を行うことができる。よって、バルコニーなどに設置する場合において、足場の確保ができず全てのパネル４を取り付けた後で上側から作業することが困難な場合であっても、容易に施工できる。また、パネル４の取り付けの際、ビード３が仮置部となり、パネル４を仮置きすることで、前枠５及び垂木掛け６と合わせて３辺でパネル４を支持できるので、パネル４が外れることがなく、１人でも容易に施工することができる。そして、パネル４を固定するためのビード３をパネル４の仮置きに兼用しており、仮置きのための専用の部材を要するものではないから、より施工が容易であり、かつ製造費用を抑えられる。
【００２２】
また、図１２に示すのは、本発明の簡易構造物の製造方法の第三実施例に用いるビード３である。このビード３は、第一実施例に用いるものと比べて、係止突起を有していない点が異なっており、垂木１又は妻垂木１ａから側方に突出した状態で係合させた際に、垂木１又は妻垂木１ａの被係止突起１２に係止しない。しかしながら、ビード３のその他の構成は、第一実施例に用いるものと同じであり、係合腕部３５の先端部が係合部１１の垂下面１１ｃの下端に回り込んで引っ掛かるので、パネル支持部３６にパネル４を仮置きしても、その荷重によりビード３が外れることはない。よって、第三実施例は、第一実施例と同様の手順となり、同様の作用効果を奏するものである。また、左から１番目及び２番目の垂木に第二実施例と同様のものを用いて、第二実施例と同様の手順としてもよい。
【００２３】
さらに、図１３に示すのは、本発明の簡易構造物の製造方法の第四実施例に用いる垂木１ｃである。第一実施例から第三実施例までは、垂木１又は妻垂木１ａから側方に突出した状態で係合させたビード３を仮置部として用いていたが、第四実施例では、垂木１ｃに一体に形成した仮置部８を用いる。この垂木１ｃにおいては、上面の左右端部に、外側に向けて突出し上側に向けて屈曲する略Ｌ字形の仮置部８を形成してある。また、上面には第一実施例に用いる垂木１と同じパネル押さえ１５を取り付けてある。パネル押さえ１５の左右端部にはタイト材１７を取り付けてあり、仮置部８はタイト材１７よりも外側に位置していて、垂木１ｃの上面とパネル押さえ１５とで、側方に向けて開口するパネル挿入溝２が形成されている。なお、妻垂木にも同様の仮置部を設けてもよい。
【００２４】
第四実施例の具体的な手順は、概ね第一実施例又は第二実施例と同様であるが、この垂木１ｃにパネル４を取り付ける方法が異なる。右側のパネル挿入溝２にパネル４を挿入する場合を例に挙げると、まず、パネル４の後端部を垂木掛け６の後側挿入溝６１に挿入し、前端部を前枠５の前側挿入溝５１に挿入するとともに、左端部を垂木１ｃから右側に突出した仮置部８に仮置きする（図１３（ａ））。その後、パネル４を左側にスライドさせて、左端部を垂木１ｃの右側のパネル挿入溝２に挿入する（図１３（ｂ））。そして、後付ビード９をパネル挿入溝２に挿入し、仮置部８の上端に係合させ、後付ビード９とパネル押さえ１５のタイト材１７とでパネル４を挟み込んで固定する（図１３（ｃ））。
【００２５】
このような本発明の簡易構造物の製造方法の第四実施例によれば、垂木１ｃにおいて、予めパネル押さえ１５を取り付けてパネル挿入溝２を形成し、このパネル挿入溝２にパネル４を挿入して、最後に後付ビード９をパネル挿入溝２に押し込んでパネル４を固定するので、パネル４の下側から取付作業を行うことができ、施工が容易である。また、パネル４の取り付けの際、仮置部８にパネル４を仮置きすることで、前枠５及び垂木掛け６と合わせて３辺でパネル４を支持できるので、パネル４が外れることがなく、１人でも容易に施工することができる。
【００２６】
本発明は、上記の実施形態に限定されない。たとえば、ビード及びビードを係合させる垂木の係合部の形状については、ビードを垂木から側方に突出した状態で係合させることができ、かつビードをパネル挿入溝に押し込んでパネルを固定できるものであれば、どのようなものであってもよい。また、本発明の製造方法は、少なくとも１枚のパネルについて、取り付けの際にビード（仮置部）に仮置きするものであればよく、第一実施例のように、全てのパネルを仮置きしてもよいし、第二実施例のように、最後のパネルのみを仮置きしてもよい。
【符号の説明】
【００２７】
１  垂木
２  パネル挿入溝
３  ビード（仮置部）
４  パネル
５  前枠
６  垂木掛け（後枠）
８  仮置部
【図１】
2018003554.tif 000003
【図２】
2018003554.tif 000004
【図３】
2018003554.tif 000005
【図４】
2018003554.tif 000006
【図５】
2018003554.tif 000007
【図６−１】
2018003554.tif 000008
【図６−２】
2018003554.tif 000009
【図７】
2018003554.tif 000010
【図８】
2018003554.tif 000011
【図９】
2018003554.tif 000012
【図１０】
2018003554.tif 000013
【図１１−１】
2018003554.tif 000014
【図１１−２】
2018003554.tif 000015
【図１２】
2018003554.tif 000016
【図１３】
2018003554.tif 000017